(57)【要約】【課題】スペース上の制約を受けず、運搬作業性の改善と外観を向上させた、空気調和機の室外機を提供する。【解決手段】外箱８の吹出口７近傍に形成した開口部１２を設け、吹出口７に開口部１２を塞ぐように左右にスライド可能な吹出グリル１３を設けることにより、室外機を運搬する際は吹出グリル１３を圧縮機側にスライドして開口部１２に手指を引っ掛けて行うことができるようにすることで、運搬作業時の安全性と外観の向上を図るものである。【選択図】図２
2008256265.tif 000002
【特許請求の範囲】
【請求項１】
内部に圧縮機、熱交換器、送風機等を具備し、一面に前記送風機により吐出される空気の吹出口を有する外箱と、前記外箱の吹出口近傍に形成した複数個の開口部と、前記外箱の吹出口に左右にスライド移動可能に配設された吹出グリルとを備え、前記吹出グリルは外箱に形成した吹出口を覆うと共に前記吹出口近傍の複数個の開口部を塞ぐように形成したことを特徴とする空気調和機の室外機。
【請求項２】
外箱の吹出口近傍に形成した複数個の開口部の周囲を本体内側に巻き込むように成型した巻込部を設けたことを特徴とする請求項１に記載の空気調和機の室外機。
【請求項３】
外箱の吹出口近傍に形成した複数個の開口部の周囲に係合する室外機運搬時に手指を引っ掛ける筒状の保護部材を設けたことを特徴とする請求項１に記載の空気調和機の室外機。
【発明の詳細な説明】
【技術分野】
【０００１】
本発明は、運搬用の取っ手機能を有する空気調和機の室外機に関するものである。
【背景技術】
【０００２】
従来の空気調和機の室外機は、運搬用に手指を引っ掛ける取っ手を設ける際には外箱における空気吸込口および空気吹出口を覆う吹出グリルを除いた位置に形成されるが、近年コンパクト化のために外箱は小型化する傾向にある反面、性能を確保するために送風機は大型化する傾向にあることから、吹出口は大型化するとともに吹出グリルも大型化するため、外箱における吹出口を除く部分のスペースがなくなり取っ手を設けることが困難になり、外箱の吹出口を覆う吹出グリルの一部に手指を引っ掛ける取っ手を形成した構成とされている（例えば、特許文献１参照）。
図７、図８は特許文献１に記載された従来の空気調和機の室外機の斜視図及び部分断面図である。図７，８において、空気調和機の室外機本体１は外箱２に形成した吹出口３と、下部に室外機運搬時に手指を引っ掛ける取っ手４を形成した吹出口３を覆う吹出グリル５で構成している。
【０００３】
以上のような構成において、室外機運搬時は吹出グリル５に形成した取っ手４に手指を引っ掛けて室外機を持ち上げておこなっている。
【特許文献１】特開平１１−１０８３９８号公報
【発明の開示】
【発明が解決しようとする課題】
【０００４】
しかしながら上記従来の構成では、一般に吹出グリル５は合成樹脂製であるとともに、圧縮機（図示せず）等を具備する室外機は重量物であるため、手指を引っ掛ける取っ手４には大きな運搬荷重がかかることになり、取っ手４の強度を向上させる必要がある。さらに吹出グリル５を外箱２に固定する部位においても充分な強度を確保しなければならず、また吹出グリル５は材料の性質上経年変化で脆くなるという特性から、大きな運搬荷重がかかることで変形もしくは破壊してしまうという欠点を有していた。また、取っ手４の位置も吹出グリル５の下に限定され、運搬時は室外機本体１と吹出グリル５の間に手を入れなければならないため、運搬者の身長や手の大きさによっては、力が入りづらい位置となったり、手が掛かりにくく不安全であるという欠点を有していた。
【０００５】
本発明は従来の課題を解決するもので、外箱のスペース的な制約を受けることなく、充分な強度を持ち、運搬時に手指をしっかり掛けることのできる取っ手機構を有した空気調和機の室外機の提供を目的とするものである。
【課題を解決するための手段】
【０００６】
前記従来の課題を解決するために、本発明の空気調和機の室外機は、吹出口近傍に複数の開口部を設け、前記複数の開口部を塞ぐスライド可能な吹出グリルを形成したものである。これによって、室外機運搬の際は吹出グリルを機械室側にスライドさせることにより外箱に設けた開口部に手指を引っ掛けて室外機を持つことができるため、外箱の吹出グリル近傍のスペースが有効に活用できるとともに、運搬する際の荷重は充分な強度を有する外箱で受けることができる。また身長等の体形に合わせて、複数の開口部のうち任意の穴部を持つことができるため、十分に力を掛けることができる。
【発明の効果】
【０００７】
本発明の空気調和機の室外機は、外箱の吹出口近傍のスペース的な制約を受けることが
なく、美観を損なわずに大きな運搬荷重に耐える強度を有した取っ手機構により運搬作業時の安全性を向上させることができる。
【発明を実施するための最良の形態】
【０００８】
第１の発明は、内部に圧縮機、熱交換器、送風機等を具備し、一面に前記送風機により吐出される空気の吹出口を有する外箱と、前記外箱の吹出口近傍に形成した室外機運搬時に手指を引っ掛ける複数の開口部と、前記外箱の吹出口に左右にスライド可能に配設された吹出グリルとを備え、前記吹出グリルは外箱に形成した吹出口を覆うと共に前記吹出口近傍の開口した室外機運搬用の開口部を塞ぐように形成しているので、室外機運搬の際は吹出グリルを機械室側にスライドさせることにより外箱に開口した手指を引っ掛ける開口部を持つことができるため、外箱の吹出グリル近傍のスペースが有効に活用できるとともに、運搬する際の荷重は充分な強度を有する外箱で受けることになり安全性が向上する。
【０００９】
また、複数の開口部のうち、運搬者が任意の穴部を選ぶことができ、開口部は貫通しているので、手指は奥までしっかりと掛けることができ、安全に運搬することができる。さらに運搬時以外は、開口部は吹出グリルで塞がれているので露出することがなく外観も向上する。
【００１０】
第２の発明は、特に、第１の発明において、室外機運搬時に手指を引っ掛ける開口部の周囲を内側に巻き込むように成型しているので、運搬時に手指を保護することができ、安全に運搬作業を行うことができる。
【００１１】
第３の発明は、特に、第１の発明において、室外機運搬時に手指を引っ掛ける開口部に筒状の保護部材を係合させたので、運搬時に手指を保護することができ、安全に運搬作業を行うことができる。
【００１２】
（実施の形態１）
図１は、本発明の実施の形態における空気調和機の室外機の斜視図、図２は同実施の形態における空気調和機の室外機の吹出グリルを圧縮機側にスライドした状態を示す斜視図、図３は同実施の形態における吹出グリルの背面からの斜視図、図４は同実施の形態における図２のＡ−Ａ部分拡大断面図、図５は同実施の形態における他の、空気調和機の室外機の斜視図、図６は同実施の形態における他の、空気調和機の室外機の部分断面図である。
【００１３】
図１〜６において、空気調和機の室外機本体６は前面に吹出口７、後面に吸込口（図示せず）を有する外箱８内に圧縮機９、熱交換器１０、送風機１１を具備して構成している。吹出口７の近傍には、室外機運搬時に手指を引っ掛ける開口部１２が外箱８に成型され、吹出口７には吹出グリル１３がネジ１４と爪１５により左右にスライド可能に取り付けられている。
【００１４】
一方、外箱８の圧縮機９側の前面中央部には運搬用の取っ手１６が配設され、後面には取っ手１６と相対する位置に運搬用の取っ手１７が配設されている。
【００１５】
以上のように構成された空気調和機の室外機において、室外機本体６を運搬する際は開口部１２を塞ぐ吹出グリル１３を圧縮機９側にスライドし、一人が取っ手１６，１７に手指を引っ掛け、他の一人が開口部１２に手指を引っ掛けることにより運搬することができる。
【００１６】
以上のように、本実施の形態においては、外箱８に形成した吹出口７の近傍に複数の開口部１２を設け、吹出口７に前記開口部１２を塞ぐようにスライド可能な吹出グリル１３
を取り付けることにより、室外機本体６を運搬する際は開口部１２を塞ぐ吹出グリル１３を圧縮機９側にスライドすることにより、一人が取っ手１６，１７に手指を引っ掛け他の一人が開口部１２に手指を引っ掛けて運搬することができるため、外箱８の吹出グリル１３近傍のスペースが有効に活用できるとともに、運搬する際の荷重は充分な強度を有する外箱８で受けることになり安全性が向上する。
【００１７】
また、複数の開口部１２のうち運搬者が任意の開口部１２を選ぶことができ、開口部１２は貫通しているので、手指は奥までしっかりと掛けることができ、安全に運搬することができる。さらに運搬時以外は開口部１２は吹出グリル１３で塞がれているので露出することがなく外観も向上する。
【００１８】
また、本実施の形態では、外箱８の吹出口７近傍に形成した複数個の開口部１２の周囲を本体内側に巻き込むように成型した巻込部１８を設けることにより、運搬時の手指を保護することができ、室外機運搬の際の作業性と安全性が向上する。
【００１９】
また、本実施の形態では、外箱８の吹出口７近傍に形成した複数個の開口部１２の周囲に係合する室外機運搬時に手指を引っ掛ける筒状の保護部材１９を設けたので運搬時の手指を保護することができ、室外機運搬の際の作業性と安全性が向上する。
【００２０】
なお、筒状の保護部材１８は１個だけ設け、開口部１２に着脱可能に設け、任意の開口部１２に装着して使用してもよい。
【産業上の利用可能性】
【００２１】
以上のように本発明にかかる空気調和機の室外機は、スペース的な制約を受けることなく美観を損なわない十分な強度を持った運搬時に手指を引っ掛ける開口部を有しているので、取っ手を用いた運搬作業を行う他の機器の用途にも適用できる。
【図面の簡単な説明】
【００２２】
【図１】本発明の実施の形態１における空気調和機の室外機の斜視図
【図２】本発明の実施の形態１における空気調和機の室外機の斜視図
【図３】本発明の実施の形態１における空気調和機の室外機の吹出グリルの斜視図
【図４】図２のＡ−Ａ部分断面図
【図５】本発明の実施の形態１における他の空気調和機の室外機の斜視図
【図６】本発明の実施の形態１における他の空気調和機の室外機の部分断面図
【図７】従来の空気調和機の室外機の斜視図
【図８】従来の空気調和機の室外機の部分断面図
【符号の説明】
【００２３】
７  吹出口
８  外箱
９  圧縮機
１０  熱交換器
１１  送風機
１２  開口部
１３  吹出グリル
１８  巻込部
１９  保護部材部
【図１】
2008256265.tif 000003
【図２】
2008256265.tif 000004
【図３】
2008256265.tif 000005
【図４】
2008256265.tif 000006
【図５】
2008256265.tif 000007
【図６】
2008256265.tif 000008
【図７】
2008256265.tif 000009
【図８】
2008256265.tif 000010